(57)【要約】【課題】  従来、狭い道路の現場や、急階段、急勾配の現場では、小さい杭打機でも現場に搬入することは出来ませんでした。【解決手段】本発明の三脚杭打機は、杭打機を解体して機材を小さくし、人力等で現場に搬入し、現場内で組立てして、杭を打設し、杭打設終了後、杭打機を解体して、人力等で現場から搬出が出来る装置の発明の三脚杭打機です。【選択図】図１
2018127869.tif 000002
【特許請求の範囲】
【請求項１】
三脚の上端に上部１を設ける、三脚の内、二脚３が上部１に自在４で設ける、外の一脚５は上部１に固定６で設ける、又は固定６の状態ではなく、組立て時に、ネジ、又はピン７で、一脚５を固定６にして、上部１に設ける、又は、固定６の状態ではなく、ネジの締め付け、又は完全に固定６せず、少しガタがある構造、又は上部１が少し斜めになる所で、それ以上斜めにならない様に、ストッパーを付ける構造等、上部１への設けは、自在４であっても上部１が杭打設作業に支障が無い程度に固定６に近い自在４にする、二脚３の脚の長さより、一脚５の脚の長さのほうが短い脚にする、三脚の脚は真っ直ぐ、又は脚の上部を曲げ２７、又は脚を二又２８にして、一本脚を二本脚にする、又は、４本組の脚を上部１に設ける、脚の下端内にジャッキー１３を設けた三脚杭打機。
【請求項２】
上部１に真矢を支える穴２を設け、真矢８を真矢を支える穴２に通し、真矢８の上部に、ピンを通す穴２６を設け、ピンを通す穴２６にピン７を通して止める、真矢８の下端は、真矢固定鉄板２５で固定しても良い、真矢８は、１本物、又は数本繋ぎにしてある、請求項１記載の三脚杭打機。
【請求項３】
上部１にワイヤー取付金具１６を設け、ワイヤー取付金具１６にワイヤー２０を設け、三脚杭打機の両側に杭を打込み、レバーブロック３０により、ワイヤー２０と杭とを連結し、レバーブロック３０で引っ張り三脚杭打機を支えている、請求項１記載の三脚杭打機。
【請求項４】
上部１に滑車取付金具１６を設け、滑車取付金具１６に滑車１７を設け、三脚の脚に又はパイプ１４に、ウインチ９を設け、ウインチ９のワイヤー１８を滑車１７に入れ込み、フック付き滑車１９に入れ込み、滑車１７で止め、ウインチ９を回し、モンケン落し１０、モンケン１１を吊り上げ、モンケン１１を落下させ、家の基礎の杭を打設する能力性能を持つ、請求項１記載の三脚杭打機。
【発明の詳細な説明】
【技術分野】
【０００１】本発明は、柱３本の三脚の構造の杭打機に関するものです。
【背景技術】
【０００２】従来、狭い道路の現場や急勾配等の現場では、建設機械の杭打機が現場に入れず、杭打作業が出来ませんでした。
【発明の概要】
【発明が解決しようとする課題】
【０００３】従来、家々の間隔が狭く、その奥の現場におきましては、小さい杭打機でも搬入搬出が出来ない現場があります。又、急階段、急勾配等で現場まで杭打機が搬入、搬出が出来ない現場があります。
【課題を解決する為の手段】
【０００４】従来の杭打機は、現場まで行けなければ杭打ち作業は出来ません。機械を解体して、小さな機材として、現場まで人力で搬入して現場内で人力で組立して、杭打設をするような、杭打機はありませんでした。本発明は、三脚の構造を利用して、新たな三脚の構造の杭打機で、搬入する機材も小さくして、重いモンケンはウインチで転がしながら、現場へ搬入、組立て、杭打ち、解体、搬出、が出来る三脚杭打機です。
【０００５】本発明を図と共に説明すれば、図１の様に三脚の上端に上部１を設ける、上部１に真矢を支える穴２を設ける。
三脚の構造は、二脚３が上部１に自在４の構造で設ける。外の一脚５は上部１に固定６の構造で設ける。又は、固定６の状態ではなく、組立て時に、ネジ、又はピン７で一脚５を上部１に設ける。なぜ一脚５を上部１に固定６するかと言えば、三脚共に自在４にすると、上部１が斜めの状態になり、固定されず、いつも三脚が安定せず、杭打ちの部品の真矢８が上部１に設けられている真矢を支える穴２が斜めになり、真矢８を真矢を支える穴２に通すことが出来なくなるためである。そのために、一脚５だけは、上部１に固定６することにより、上部１が斜めにならず、安定することが出来る。上部１と一脚５との設ける方法として、完全に固定６する方法と、固定６せず、一脚だけのネジの締め付け、又は完全に固定６せず、少しガタがある構造、又は、上部１が少し斜めになる所で、ストッパーを付ける構造等、自在４であっても上部１が杭打作業に支障が無い程度に固定６に近い自在４にする。そして三脚の構造は真っ直ぐ、又は、上部１の下部で設けている脚と脚との間隔は、三脚の下部は広いですが、三脚の上部の間隔は狭く、ウインチ９でモンケン落し１０モンケン１１等の機具を三脚の上部一杯まで吊り上げると、モンケン落し１０モンケン１１等の機具が、三脚に接触したり、当ったりして、モンケン落し１０、モンケン１１等の機具が三脚の上部一杯まで上げることが出来ませんので図２の様に、三脚の全部、又は一部分の上部を曲げ２７て、三脚の上部を広くし、モンケン落し１０、モンケン１１等の機具を、三脚の上部一杯まで上げられる様にする。
又、三脚で、重いモンケン１１の４００ｋｇの重量を支えるには、弱く堪えられない場合は、図３の様に、三脚の上部で二又２８に分けて、１本の脚を２本脚にして、モンケン１１の重量に堪える様にする。又は上部１を支える三脚を４本組の脚として、上部１に設ける。
三脚の脚の構造は、１本物の脚、又は数本繋ぎ１２の脚にする。
繋ぎ１２の方法は、ネジ、又はピン７、又はスライドでピン７等の方法で繋ぐ。三脚の下端内に自在のジャッキー１３を設ける。
三脚の長さは、三本脚の内、二本脚３は同じ長さで、外の一本脚５は二本脚３より短くすると、三脚が立てやすくなる。
三脚の内、一本脚５を二又の二本脚にした場合、脚の強度を保つために、脚と脚との間に、補強の筋交い２９を設ける。
本発明の三脚を立ち上げた場合は、三脚を補強するために三脚の脚同士を横の棒又はパイプ１４等で結束して補強する。本発明の上部１の下部に、ウインチ９の滑車取付け金具１５ワイヤー取付け金具１６を設ける。
真矢８は長くて重いので、１本物、又は数本繋ぎの構造にする。又は、上部１の真矢を支える穴２に真矢８を通し、真矢８の上部にピンを通す穴２６を設け、ピン７を真矢８に通し、真矢を支える穴２から真矢８が外れない様な構造にする。
真矢８は、鉄板上に凸部２４付きの真矢固定鉄板２５で真矢８の下端を固定しても良し、使用しなくても良い、上部１の真矢を支える穴２に真矢８を通し、真矢８の上部を支えている。
【０００６】本発明の三脚の組立てを説明致します。
まず始めに三脚の上部１と三脚３、５を地上に寝かせて、三脚３、５と上部１の下部の滑車取付け金具１５に滑車１７を取付け、滑車１７内に、ウインチ９のワイヤー１８を入れ込み、ワイヤー１８を、フック付き滑車１９内へ入れ込み、ワイヤー１８を上部の滑車１７で止める。そして、上部１の下部のワイヤー取付け金具１６にワイヤー２０を取付ける。
そして、人力、又はクレーン等で本発明の三脚を立ち上げる、そして、立ち上げたら、棒又はパイプ１４等で横に脚と脚を連結する。そして杭芯の場所まで人力、又はクレーン等で三脚を運び、上部１のワイヤー取付け金具１６からのワイヤー２０を、地面に補強の杭を打込み、レバーブロック３０等で杭とワイヤー２０を連結させてレバーブロック３０でワイヤー２０を張って三脚を補強する。そして、機具の、モンケン落し１０、モンケン１１、クッション２１、杭のアタッチメント２２、真矢８等を三脚の内側で、ウインチ９で各機具を吊り上げ、組立てて行く、そして組立て後、杭芯上に杭２３を立て、ウインチ９でモンケン落し１０、モンケン１１を三脚の上部一杯まで吊り上げ、モンケン落し１０で、モンケン１１を落下させ杭２３を打設する装置です。
そして、杭打設が終了したら次の杭芯まで移動するために各機具を解体して、移動して、又組立てし、杭打設をする装置です。
【発明の効果】
【０００７】本発明は三脚杭打設機の機材、機具等を、人力で運べる様に解体して、重い４００ｋｇの重量のモンケンは、ウインチで転がし、又はクレーンで吊り上げて、狭い道路、狭い現場、特殊な現場等の現場内に搬入することが出来、現場内で組立て、杭打設をして、杭打設終了後、解体して現場外へ搬出し、杭工事を完了することが出来る三脚杭打機です。
【産業上の利用可能性】
【０００８】従来の杭打機では、狭い道路、狭い現場、特殊な現場等へ搬入出来ず、杭打設が出来なかった事に対し、本発明の三脚杭打機は、杭打機を解体して、人力やウインチ等で現場内に搬入して、現場内で組立て、杭を打設し、解体して、搬出が出来、家の基礎の杭、鋼管杭φ１３９、８ミリを打設する能力性能を持つ三脚杭打機です。
【図面の簡単な説明】
【０００９】
【図１】本発明の三脚の正面図。
【図２】脚の上部を曲げた図。
【図３】一本脚を二又にして二本脚にした図。
【符号の説明】
【００１０】１、  上部
２、  真矢を支える穴
３、  二脚
４、  自在
５、  一脚
６、  固定
７、  ピン
８、  真矢
９、  ウインチ
１０、モンケン落し
１１、モンケン
１２、繋ぎ
１３、自在ジャッキー
１４、棒、パイプ
１５、滑車取付金具
１６、ワイヤー取付金具
１７、滑車
１８、ワイヤー
１９、フック付き滑車
２０、ワイヤー
２１、クッション
２２、杭のアタッチメント
２３、杭
２４、凸
２５、真矢固定鉄板
２６、ピンを通す穴
２７、曲げる
２８、二又
２９、筋交い
３０、レバーブロック
【図１】
2018127869.tif 000003
【図２】
2018127869.tif 000004
【図３】
2018127869.tif 000005